(57)【要約】【課題】装置の底面に配した第１の雌ねじに、頭部にキャスタを固着した雄ねじを螺合すると共に、雄ねじに螺合した第２の雌ねじを有し、雄ねじの回転により、装置底面とキャスタとの距離を変更し、第２の雌ねじにより装置底面とキャスタとの距離を固定するキャスタ調整機構における装置底面とキャスタとの距離の変更と、固定とを容易に行えるキャスタ調整機構を提供する。【解決手段】雄ねじの頭部に係合する第１の係合部と、第２の雌ねじに係合する第２の係合部とを備えた回転工具をキャスタ調整機構に配置する。【選択図】図２
2009132268.tif 000002
【特許請求の範囲】
【請求項１】
キャスタを介して設置される装置の底面と前記キャスタとの距離を変更するキャスタ調整機構であって、
前記底面に配された第１の雌ねじと、
前記第１の雌ねじに螺合し、頭部に前記キャスタが固着された雄ねじと、
前記雄ねじと螺合し、前記底面と前記キャスタとの距離を固定する第２の雌ねじと、
前記頭部と前記第２の雌ねじとの間に設置され、前記頭部と係合可能な第１の係合部と前記第２の雌ねじに係合可能な第２の係合部を備える回転工具と、
を有し、
前記底面と前記キャスタとの距離を調整する際は、前記第１の係合部を前記頭部に係合させて前記雄ねじを前記回転工具により回転させ、前記第２の雌ねじにより前記底面と前記キャスタとの距離を固定する際は、前記第２の係合部を前記第２の雌ねじに係合させて前記第２の雌ねじを前記回転工具により回転させることを特徴とするキャスタ調整機構。
【請求項２】
前記回転工具は、側面に、前記側面から中心に向かう複数の孔を有することを特徴とする請求項１に記載のキャスタ調整機構。
【請求項３】
前記側面は、凹凸を有することを特徴とする請求項１または２に記載のキャスタ調整機構。
【請求項４】
前記底面には帯磁部品が固着されており、前記回転工具は磁性体で形成されたものであることを特徴とする請求項１に記載のキャスタ調整機構。
【発明の詳細な説明】
【技術分野】
【０００１】
本発明は、底面に配置したキャスタを床面に当接させて設置される装置の底面とキャスタとの距離を変更するキャスタ調整機構に関するものである。
【背景技術】
【０００２】
床面に設置する各種装置において、装置の移動を容易にするために床面との当接部分にキャスタが配されることが多い。
【０００３】
図１０は、キャスタを配した装置の一例である複写機を示す図である。図示の複写機１の四隅の底部には複写機１の図示前面側にキャスタＣ１、Ｃ２および、同背面側にキャスタＣ３、Ｃ４（非図示）が配されている。キャスタＣ１〜Ｃ４により、複写機１を容易に移動することができる。複写機１を所定の位置に移動した後は、設置床面Ｆにキャスタを当接して設置される。通常、各キャスタは、それぞれが同一の平面に当接するように、装置底面とキャスタとの距離が設定されている。したがって、設置床面が平坦であるときは、すべてのキャスタが設置床面に当接して、安定した設置がなされる。
【０００４】
しかし設置する床面に凹凸や、ゆがみがあるとき、一部のキャスタが床面に当接しないことがある。このようなときには、装置が、がたついたりする不安定な設置となる。
【０００５】
キャスタは、通常、装置の底面に直接取り付けられるが、キャスタ調整機構を介して取り付けられることもある。キャスタ調整機構は、装置底面とキャスタとの距離を変更する機構であり、キャスタ調整機構を介して取り付けられたキャスタと装置底面との距離を変更することにより、設置床面に凹凸や、ゆがみがあるときにおいても、すべてのキャスタが床面に当接した、安定した設置を行うことができる。
【０００６】
従来のキャスタ調整機構としては、特許文献１に開示されているような、本体底面に第１の雌ねじ（ナット）を取り付け、キャスタを取り付けた雄ねじ（ボルト）を第１の雌ねじに螺合させて、雄ねじの回転により装置底面とキャスタとの距離を変更し、また、装置底面とキャスタとの距離の変更後は、雄ねじに螺合させた第２の雌ねじ（ナット）を本体に締めつけて装置底面とキャスタとの距離を固定するものが知られている。
【０００７】
図１１は、従来のキャスタ調整機構の一例を示す図である。
【０００８】
図１１において、Ｃはキャスタ、２は複写機の底面部材、５は雄ねじ、６は第１の雌ねじである雌ねじ（Ａ）、７は第２の雌ねじである雌ねじ（Ｂ）である。
【０００９】
雌ねじ（Ａ）６はねじ穴を有し、複写機筐体の底面部材２の図示上面に固着されている。
【００１０】
雄ねじ５は、六角形状をなす頭部５Ｈと、雌ねじ（Ａ）６に螺合可能なねじ山が形成された軸部５Ｓとを有する、いわゆる、六角ボルトと同じ形態をなす。そして頭部５Ｈの端面には、キャスタＣが固着されている。
【００１１】
雌ねじ（Ｂ）７は、外形は六角形で、雄ねじ５の軸部５Ｓに螺合可能なねじ穴を有する、いわゆる、六角ナットの形態をなすねじ部品である。そして、雌ねじ（Ｂ）７は、雌ねじ（Ａ）６に螺合した雄ねじ５の頭部５Ｈと、雌ねじ（Ａ）６との間にてねじ部５Ｓに螺合して配置されている。
【００１２】
雌ねじ（Ａ）６に螺合している雄ねじ５を回転することにより、ねじのリードにより雄ねじ５が螺軸方向に移動するので、雄ねじ５と複写機筐体の底面部材２との相対位置を変更でき、雄ねじ５の頭部５Ｈに取り付けられているキャスタＣと装置底面との距離を変えることができる。
【００１３】
雌ねじ（Ｂ）７は、雄ねじ５を回転して装置底面とキャスタとの距離を適当な距離に変更した後の、雄ねじ５の不要な回転を防止する回り止め部品として機能する。すなわち、装置底面とキャスタとの距離が適当になるように定めた後に、雌ねじ（Ｂ）７を回転して、雌ねじ（Ａ）６が固着されている複写機筐体の底面部材２を締めつける位置に配置することにより、両者に螺合する雄ねじ５に外力が加わった場合でも雄ねじ５が回転することが防止され、装置底面とキャスタとの距離が固定される。
【００１４】
雌ねじ（Ｂ）７は、装置底面とキャスタとの距離を変更しないときには、底面部材２に締めつける位置に配置される。そして、装置底面とキャスタとの距離を変更するときには、底面部材２への締めつけを緩め、さらに、底面部材２から離間する位置に移動される。図１１（ａ）は、雌ねじ（Ｂ）７を底面部材２に締めつけた位置に配置されている状態を示す図であり、雄ねじ５に外力が加わった場合でも雄ねじ５が回転することが防止される。また、図１１（ｂ）は、雌ねじ（Ｂ）７が底面部材２から離間している位置に配置されている状態を示す図であり、雄ねじ５は図示矢印方向に回転可能であり、雄ねじ５を図示矢印方向に回転することにより、装置底面とキャスタＣとの距離を変更できる。
【００１５】
雌ねじ（Ｂ）７が図１１（ａ）に示す状態にあるときには、が底面部材２への締めつけを緩められ、さらに底面部材２から離間している位置に配置されている状態を示す。
【００１６】
このようなキャスタ調整機構を有する複写機の設置に際し、装置底面とキャスタとの距離の変更は、以下のように行われる。
【００１７】
先ず、雌ねじ（Ｂ）７を回転して底面部材２への締めつけを緩め、さらに、底面部材２から離間させる。
【００１８】
次いで、雄ねじ５を回転して、雄ねじ５に取り付けられている装置底面とキャスタとの距離が適当になる位置に設定する。
【００１９】
装置底面とキャスタとの距離の設定がなされた後に、再び雌ねじ（Ｂ）７を回転して、底面部材２に締めつける位置に配置して、装置底面とキャスタとの距離の変更を終了する。
【００２０】
このように、装置底面とキャスタとの距離の変更は、第２の雌ねじである雌ねじ（Ｂ）７および雄ねじ６を回転することになされる。
【特許文献１】実開昭６１−１１５７０５号公報
【発明の開示】
【発明が解決しようとする課題】
【００２１】
前述のようなキャスタ調整機構により取り付けられた装置底面とキャスタとの距離の変更を行うに際しては、第２の雌ねじ、および、雄ねじを回転させる工具が必要である。また、キャスタは、設備の装置の底部に取り付けられているので、工具は、限られた作業空間の中で第２の雌ねじ、および、雄ねじの回転を行うことが可能な形態、大きさ、のものである必要がある。これらの工具は、装置の設置に際し、装置底面とキャスタとの距離の変更に先立ち準備されなくてはならなないが、ともすれば所望の工具が準備できず、設備を所望の場所に配置しても、装置底面とキャスタとの距離の変更が直ちにできないことも生じていた。
【００２２】
本発明は上記の状況に鑑みなされたもので、装置底面とキャスタとの距離の変更、および、変更した装置底面とキャスタとの距離の固定を容易に行うことができるキャスタ調整機構を提供することを課題とする。
【課題を解決するための手段】
【００２３】
前記課題は以下の手段により達成される。
（１）キャスタを介して設置される装置の底面と前記キャスタとの距離を変更するキャスタ調整機構であって、
前記底面に配された第１の雌ねじと、
前記第１の雌ねじに螺合し、頭部に前記キャスタが固着された雄ねじと、
前記雄ねじと螺合し、前記底面と前記キャスタとの距離を固定する第２の雌ねじと、
前記頭部と前記第２の雌ねじとの間に設置され、前記頭部と係合可能な第１の係合部と前記第２の雌ねじに係合可能な第２の係合部を備える回転工具と、
を有し、
前記底面と前記キャスタとの距離を調整する際は、前記第１の係合部を前記頭部に係合させて前記雄ねじを前記回転工具により回転させ、前記第２の雌ねじにより前記底面と前記キャスタとの距離を固定する際は、前記第２の係合部を前記第２の雌ねじに係合させて前記第２の雌ねじを前記回転工具により回転させることを特徴とするキャスタ調整機構。
（２）前記回転工具は、側面に、前記側面から中心に向かう複数の孔を有することを特徴とする（１）に記載のキャスタ調整機構。
（３）前記側面は、凹凸を有することを特徴とする（１）または（２）に記載のキャスタ調整機構。
（４）前記底面には帯磁部品が固着されており、前記回転工具は磁性体で形成されたものであることを特徴とする（１）に記載のキャスタ調整機構。
【発明の効果】
【００２４】
キャスタ調整機構に組み込まれた回転工具を使用することにより、装置底面とキャスタとの距離の変更を容易に行うことができる。
【発明を実施するための最良の形態】
【００２５】
以下、本発明の実施の形態である回転工具を有するキャスタ調整機構を説明する。なお、本発明の実施の形態におけるキャスタを取りつけた装置の一例として複写機を取り上げたが、床面に設置する装置であれば、複写機に限定されるものではない。
【００２６】
図１は、本発明のキャスタ調整機構により取り付けられたキャスタを有する複写機の正面外観図である。
【００２７】
図１において、１００は複写機、Ｆは複写機１００を設置する設置面である。複写機１００の筐体１０１の底面には図示されるようにキャスタＣ１、Ｃ２、が取り付けられている。また、キャスタＣ１、Ｃ２の奥側には、それぞれキャスタＣ３、Ｃ４（非図示）が取り付けられている。キャスタＣ１は後述するキャスタ調整機構１１１を介して筐体１０１に取り付けられており、筐体１０１の底面とキャスタＣ１との距離が変更可能である。装置底面とキャスタＣ１との距離が変更可能であるので、複写機１００を接地する設置面Ｆに凹凸やゆがみがあっても装置底面とキャスタＣ１との距離を適当に変更、設定することにより、四隅のキャスタＣ１、Ｃ２、Ｃ３、Ｃ４のすべてを設置面Ｆに当接させることができ、複写機１００をがたつきなく、安定して設置することができる。
【００２８】
なお、キャスタＣ１の図示上部に位置するＴは、キャスタ調整機構１１１により装置底面とキャスタＣ１との距離を変更する際に使用されるキャスタ調整機構１１１に組み込まれている回転工具である。
【００２９】
次に、本発明の実施の形態であるキャスタ調整機構１１１の詳細を、図２〜図５を参照して説明する。
【００３０】
図２は、キャスタ調整機構１１１を説明する概念図である。図２において、１０２は複写機１００の筐体１０１の底面に配された底面部材、１１５は軸部１１５Ｓおよび頭部１１５Ｈを有する雄ねじ、１１６は雌ねじ（Ａ）、１１７は雌ねじ（Ｂ）、Ｔは回転工具である。
【００３１】
雌ねじを配した雌ねじ（Ａ）１１６は、第１の雌ねじとして機能する。そして、図中の底面部材１０２に雌ねじ（Ａ）１１６が固着された部位１０２Ｎが雌ねじ配置部である。
【００３２】
図３は、雌ねじ配置部１０２Ｎを説明する図である。
【００３３】
雌ねじ（Ａ）１１６は底面部材１０２に、螺軸を垂直にして固着されている。底面部材１０２には、雄ねじ１１５の軸部１１５Ｓが干渉されることなく通過可能で、かつ、雌ねじ（Ｂ）１１７の外形より小さい寸法の開口１０２Ｈが配されている。そして、雌ねじ（Ａ）１１６は、その螺軸を開口１０２Ｈの中心に合致させて、底面部材１０２の図示上面に固着されている。
【００３４】
なお、本実施の形態における雌ねじ配置部１０２Ｎは、雌ねじ（Ａ）１１６を筐体１０１の底面部材１０２の図示上面に固着した構成としているが、雌ねじ（Ａ）１１６を底面部材１０２の図示下面に固着した構成でも良い。また、底面部材に配した第１の雌ねじとして、独立した雌ねじを用いずに、底面部材１０２に配した開口の内周に雌ねじを形成した構成としても良い。
【００３５】
図４は、雄ねじ１１５を説明する図である。
【００３６】
図４（ａ）に示すように、雄ねじ１１５は、頭部１１５Ｈと、雌ねじ（Ａ）１１６の雌ねじに螺合可能なねじ山を形成した軸部１１５Ｓとからなる。
【００３７】
頭部１１５Ｈは外形が六角形状であり、雄ねじ１１５は、いわゆる、六角ボルトの形態をなす。そして、頭部１１５ＨにはキャスタＣ１を固着可能である。頭部１１５ＨにキャスタＣ１を固着した雄ねじ１１５を図４（ｂ）に示す。
【００３８】
雄ねじ１１５は、軸部１１５Ｓを雌ねじ配置部１０２Ｎの雌ねじ（Ａ）１１６に螺合して複写機１００に配置される。そして、雄ねじ１１５を螺軸を中心にして回転することにより、ねじのリードにより、雄ねじ１１５を雌ねじ（Ａ）１１６に対して螺軸方向に移動させることができる。雄ねじ１１５の螺軸方向の移動により、装置底面とキャスタＣ１との距離が変更される。
【００３９】
図２に示される雌ねじ（Ｂ）１１７は、外形が六角形で、いわゆる、六角ナットの形態をなし、雄ねじ１１５の軸部１１５Ｓに螺合可能なねじを有するねじ部品である。雌ねじ（Ｂ）１１７は、第２の雌ねじとして機能する。
【００４０】
雌ねじ（Ｂ）１１７は、雌ねじ配置部１０２Ｎの雌ねじ（Ａ）１１６に螺合した雄ねじ１１５の頭部１１５Ｈと雌ねじ（Ｂ）１１７との間にて、軸部１１５Ｓに螺合して配置される。そして、螺合した雌ねじ（Ｂ）１１７を回転することにより螺軸方向に移動させて、雌ねじ配置部１０２Ｎを締めつける位置と、雌ねじ配置部１０２Ｎから離間した位置とに配置することが可能である。
【００４１】
図２（ａ）は、雌ねじ（Ｂ）１１７が雌ねじ配置部１０２Ｎを締めつける位置に配置された状態を示し、図２（ｂ）は、雌ねじ（Ｂ）１１７が雌ねじ配置部１０２Ｎから離間したる位置に配置された状態を示す。
【００４２】
雌ねじ（Ｂ）１１７を雌ねじ配置部１０２Ｎに締めつけた位置に配置したときには、雌ねじ配置部１０２Ｎの雌ねじ（Ａ）１１６および雄ねじ１１５に螺合した雄ねじ１１５の回転が防止される。雄ねじ１１５の回転が防止されることにより、雄ねじ１１５、あるいは、キャスタＣ１に外力が加えられた場合でも、雄ねじ１１５は回転されることはない。したがって、雄ねじ１１５、あるいは、キャスタＣ１に外力が加えられた場合でも、雄ねじ１１５の螺軸方向の移動が発生せず、装置底面とキャスタＣ１との距離が維持される。
【００４３】
一方、雌ねじ（Ｂ）１１７による雌ねじ配置部１０２Ｎへの締めつけを緩め、雌ねじ配置部１０２Ｎから離間させたときには、雌ねじ（Ａ）１１６に螺合した雄ねじ１１５の回転が許容される。雄ねじ１１５を回転することにより、雄ねじ１１５を雌ねじ（Ｂ）１１７の螺軸方向に移動させることができるので、装置底面とキャスタＣ１との距離を変化させることができる。
【００４４】
雌ねじ（Ｂ）１１７は、装置底面とキャスタＣ１との距離を変更する必要のないときには装置底面とキャスタＣ１との距離が維持されるように雌ねじ配置部１０２Ｎに締めつけた位置に配置され、装置底面とキャスタとの距離を変更するときには、雌ねじ配置部１０２Ｎへの締めつけを緩め、さらに雌ねじ配置部１０２Ｎから離間する位置に配置される。そして、装置底面とキャスタとの距離の変更がなされた後には、また雌ねじ配置部１０２Ｎに締めつけた位置に配置される。
【００４５】
図２に示される回転工具Ｔは、前述の装置底面とキャスタＣ１との距離の変更を行うに際し、雌ねじ（Ｂ）１１７および雄ねじ１１５を回転するときに使用される工具である。回転工具Ｔは、貫通穴ＴＨと、貫通穴ＴＨの両端に第１の係合部ＴＡ１、および第２の係合部ＴＡ２を有し、回転工具Ｔは、貫通穴ＴＨに雄ねじ１１５の軸部１１５Ｓを貫通させて配置される。そして、特に外力が加わらないときには、その自重で、第１の係合部ＴＡ１を雄ねじ１１５の頭部１１５Ｈに当接、あるいは、係合して配置される。このような、外力が加わらないときの回転工具Ｔの位置を、待機位置と称することにする。図２（ａ）は、待機位置にある回転工具Ｔが第１の係合部ＴＡ１を雄ねじ１１５の頭部１１５Ｈに係合している状態を示す図である。
【００４６】
また、待機位置にある回転工具Ｔは、雄ねじ１１５の軸部１１５Ｓに沿って図示上方へ移動させ、第２の係合部ＴＡ２を雌ねじ（Ｂ）１１７に係合させることができる。図２（ｂ）は、回転工具Ｔの第２の係合部ＴＡ２を、雌ねじ配置部１０２Ｎから離間する位置に配置された雌ねじ（Ｂ）１１７に係合させた状態を示す。
【００４７】
図５は、回転工具Ｔを説明する図である。
【００４８】
回転工具Ｔは、第１の平面ＴＳ１と中央に突出部ＴＺを配した第２の平面ＴＳ２とを側面ＴＳＳにて連結した形態をなし、中心に突出部ＴＺと、第１の平面ＴＳ１とを貫通する貫通穴ＴＨを有する。
【００４９】
貫通穴ＴＨの内径寸法は、雄ねじ１１５の軸部１１５Ｓの軸径よりも大きく軸部１１５Ｓが貫通可能な寸法に構成されている。
【００５０】
貫通穴ＴＨの第１の平面ＴＳ１の端部には雄ねじ１１５の頭部１１５Ｈの外形に係合可能な第１の係合部ＴＡ１が、突出部ＴＺ側の端部には雌ねじ（Ｂ）１１７の外形に係合可能な第２の係合部ＴＡ２が凹設されている。
【００５１】
第２の係合部ＴＡ２は雌ねじ（Ｂ）１１７に係合して、雌ねじ（Ｂ）１１７を回転させることが可能な形状に構成されている。本実施の形態における雌ねじ（Ｂ）１１７の外形が六角形であるので、第２の係合部ＴＡ２は、その内壁面の平面形状は雌ねじ（Ｂ）１１７に係合可能な六角形をなして構成されている。そして、凹設の深さは、雌ねじ（Ｂ）１１７の厚さをｔBとしたときｔB／３〜ｔBの範囲に構成されるのが好ましい。
【００５２】
このように構成された第２の係合部ＴＡ２を雌ねじ（Ｂ）１１７に係合させて回転工具Ｔを回転させることにより、第２の係合部ＴＡ２に係合した雌ねじ（Ｂ）１１７を回転させることができる。
【００５３】
なお本発明の実施の形態における雌ねじ（Ｂ）１１７の外形が六角形であり、第２の係合部ＴＡ２もそれに係合可能な六角形としたが、雌ねじ（Ｂ）１１７の外形は六角形に限定されるものではなく、任意の形状として良く、そのときは、第２の係合部ＴＡ２も任意の形状に構成された雌ねじ（Ｂ）１１７の外形に係合できる形状にすれば良い。
【００５４】
なお、突出部ＴＺの高さは、雌ねじ配置部１０２Ｎを締めつけて配置されている雌ねじ（Ｂ）１１７に、第２の係合部ＴＡ２を係合させたとき、回転工具Ｔ全体が複写機１００の底面部に没入しないで側面ＴＳＳが露出するように、雌ねじ配置部１０２Ｎを含む複写機１００の底面付近の構成およびねじ部品（Ｂ）１１７の厚さ寸法を踏まえて決定されている。
【００５５】
第１の平面ＴＳ１に凹設されている第１の係合部ＴＡ１は雄ねじ１１５の頭部１１５Ｈに係合して、雄ねじ１１５を回転させることが可能な形状に構成されている。本実施の形態における雄ねじ１１５の頭部１１５Ｈの外形が六角形であるので、第１の係合部ＴＡ１は、その内壁面の平面形状は頭部１１５Ｈに係合可能な六角形をなして構成されている。そして、凹設の深さは頭部１１５Ｈの厚さをｔAとしたときｔA／３〜ｔAの範囲に構成される。
【００５６】
このように構成された第１の係合部ＴＡ１を雄ねじ１１５の頭部１１５Ｈに係合させて回転工具Ｔを回転させることにより、第１の係合部ＴＡ１に頭部１１５Ｈを係合した雄ねじ１１５を回転させることができる。
【００５７】
なお、本発明の実施の形態における雄ねじ１１５の頭部１１５Ｈの外形が六角形であり、第１の係合部ＴＡ１もそれに係合可能な六角形としたが、頭部１１５Ｈの外形は六角形に限定されるものではなく、任意の形状として良く、そのときは、第１の係合部ＴＡ１も任意の形状に構成された頭部１１５Ｈの外形に係合できる形状にすれば良い。
【００５８】
図５に示されたＨ１、Ｈ２、Ｈ３、Ｈ４、Ｈ５、Ｈ６は、側面ＴＳＳに配された６個の孔である。孔Ｈ１〜Ｈ６は、第１の平面ＴＳ１および、第２の平面ＴＳ２に平行で、それぞれ側面ＴＳＳから貫通穴ＴＨの中心に向かい放射状に等角度間隔で配されている。孔Ｈ１〜Ｈ６はスクリュードライバ等の汎用工具を挿入可能な寸法に形成されている。
【００５９】
そして、孔Ｈ１〜Ｈ６のいずれかに、スクリュードライバ等の汎用工具を挿入し、汎用工具を使用して回転工具Ｔを小さな力量で回転させることもできる。
【００６０】
また、回転工具Ｔの側面ＴＳＳは完全な円形形状とせずに、凹凸を形成しておくことが好ましい。本実施の形態における回転工具Ｔは貫通穴ＴＨの中心から６０°の角度間隔にて貫通穴の中心からの距離が変化する凹凸が形成されている。回転工具Ｔの側面ＴＳＳを指で把持して回転をするときに、側面ＴＳＳに配された凹凸により、指を滑らせることがない。図示の回転工具Ｔには、貫通穴ＴＨの中心から６０°の角度間隔で外周の一部を切り欠いた凹凸が形成されているが、凹凸の角度間隔は６０°に限定されるものではなく、もっと小さな角度間隔であっても良い。また、凹凸は、いわゆるローレット加工にて形成されたギザギザでも良い。
【００６１】
回転工具Ｔは、第１の係合部ＴＡ１を雄ねじ１１５の頭部１１５Ｈに、第２の係合部ＴＡ２を雌ねじ（Ｂ）１１７に対向させた姿勢にて、貫通穴ＴＨに雄ねじ１１５の軸部１１５Ｓを貫通してキャスタ調整機構１１１に組み込まれる。キャスタ調整機構１１１に組み込まれた回転工具Ｔは、外力が加えられないときには、自重により第１の係合部ＴＡ１を雄ねじ１１５の頭部１１５Ｈに係合、もしくは、第１の平面ＴＳ１が雄ねじ１１５の頭部１１５Ｈに当接した待機位置に位置する。
【００６２】
次に、本発明の回転工具Ｔを有するキャスタ調整機構１１１を配置した複写機における装置底面とキャスタＣ１との距離を変更する手順を説明する。
【００６３】
図６は、装置底面とキャスタＣ１との距離を変更する手順を説明する図である。
【００６４】
図６（ａ）は、回転工具Ｔが待機位置に位置している状態を示す図である。図示の待機位置では、回転工具Ｔの第１の係合部ＴＡ１は雄ねじ１１５の頭部１１５Ｈに係合している。
【００６５】
なお、雌ねじ（Ｂ）１１７は、雌ねじ配置部１０２Ｎを締めつける位置に配置されている。この状態では雌ねじ（Ａ）１１６に螺合している雄ねじ１１５を回転することはできない。
【００６６】
装置底面とキャスタＣとの距離を変更するときには回転工具Ｔを指で持ち上げて、図６（ｂ）に示すように、第２の係合部ＴＡ２を雌ねじ（Ｂ）１１７に係合させる。
【００６７】
そして、雌ねじ（Ｂ）１１７に係合した回転工具Ｔにて雌ねじ（Ｂ）１１７を回転させて、雌ねじ配置部１０２Ｎへの締めつけを緩め、さらに、図６（ｃ）に示すように、雌ねじ（Ｂ）１１７を雌ねじ配置部１０２Ｎから離間した位置に配置する。雌ねじ（Ｂ）１１７が雌ねじ配置部１０２Ｎから離間した位置に配置された状態では、雌ねじ（Ａ）１１６に螺合した雄ねじ１１５を回転することができる。
【００６８】
回転工具Ｔの側面ＴＳＳには凹凸が形成されているので、指を滑らせることなく回転工具Ｔを回転させることができる。なお、雌ねじ配置部１０２Ｎへの締めつけを緩めるに際して力量を必要とするときは、孔Ｈ１〜Ｈ６のいずれかにスクリュードライバ等の汎用工具を挿入し、汎用工具を使用して小さい力量にて回転工具Ｔを回転させることもできる。
【００６９】
次いで、図６（ｄ）に示すように、回転工具Ｔ雌ねじ（Ｂ）１１７から離脱させて、第１の係合部ＴＡ１を雄ねじ１１５の頭部１１５Ｈに係合させる。そして、回転工具Ｔを回転して雌ねじ（Ａ）１１６に螺合している雄ねじ１１５を回転し、装置底面とキャスタＣ１との距離が適当な距離になるように変更する。
【００７０】
装置底面とキャスタＣ１との距離を変更したら、回転工具Ｔの第１の係合部ＴＡ１を雄ねじ１１５の頭部１１５Ｈから離脱させて、図６（ｃ）に示すように第２の係合部ＴＡ２を雌ねじ（Ｂ）１１７に係合させる。
【００７１】
そして、雌ねじ（Ｂ）１１７に係合させた回転工具Ｔを回転して、図６（ｂ）に示すように雌ねじ（Ｂ）１１７を雌ねじ配置部１０２Ｎを締めつける位置に配置して、装置底面とキャスタＣ１との距離の変更を完了する。雌ねじ（Ｂ）１１７の締めつけは、孔Ｈ１〜Ｈ６のいずれかにスクリュードライバ等の汎用工具を挿入し、汎用工具を使用して小さい力量にて行うこともできる。装置底面とキャスタＣ１との距離の変更を完了すると、回転工具Ｔは自重により図６（ａ）に示す待機位置に配置される。
【００７２】
雌ねじ（Ｂ）１１７を雌ねじ配置部１０２Ｎに締めつけた状態では、雌ねじ（Ａ）１１６に螺合している雄ねじ１１５の回転が防止される。したがって、キャスタＣ１、あるいは雄ねじ１１５に外力が加えられた場合でも、変更した装置底面とキャスタＣ１との距離が変化してしまうことはない。
【００７３】
このように、キャスタ調整機構１１１に組み込まれた回転工具Ｔを使用して、装置底面とキャスタＣ１との距離の変更と、変更した装置底面とキャスタＣ１との距離の固定、維持を容易に行うことができる。
【００７４】
以上説明した実施の形態におけるキャスタ調整機構１１１においては、回転工具Ｔは、待機位置にあるときに自重により雄ねじ１１５に当接して位置するものであった。
【００７５】
ところで、回転工具Ｔの待機位置を、第２の係合部ＴＡ２を雌ねじ（Ｂ）係合させた位置とすることも可能である。
【００７６】
本発明の第２の実施の形態である回転工具Ｔの待機位置を、第２の係合部ＴＡ２を雌ねじ（Ｂ）係合させた位置としたキャスタ調整機構１１１Ｍｇの詳細を、図７〜図９を参照して説明する。
【００７７】
図７は、キャスタ調整機構１１１Ｍｇを説明する図である。そして、図７は、回転工具ＴＭｇが待機位置にあるときの図である。
【００７８】
第２の実施の形態であるキャスタ調整機構１１１Ｍｇに使用されている部品の多くは、先に説明した第１の実施の形態のキャスタ調整機構１１１に使用されている部品と同一である。図７に示されるキャスタ調整機構１１１Ｍｇにおいて、第１の実施の形態のキャスタ調整機構１１１に使用される部品に同一の部品には、第１の実施の形態の部品と同じ記号が付されている。また第２の実施の形態に特に使用される部品は、符号の末尾に符号Ｍｇが付されている。
【００７９】
図７において、１０２は複写機１００の筐体１０１の底面に配された底面部材、１１５は雄ねじ、１１６は雌ねじ（Ａ）、１１７は雌ねじ（Ｂ）、ＴＭｇは回転工具、そして１１８Ｍｇは吸着部品である。
【００８０】
底面部材１０２、雄ねじ１１５、雌ねじ（Ａ）１１６、雌ねじ（Ｂ）１１７は、第１の実施の形態のキャスタ調整機構１１１に使用された部品と同仕様、同機能のものであり、その配置位置もキャスタ調整機構１１１における配置位置に同じである。
【００８１】
回転工具ＴＭｇは、磁性材により形成され、図５を参照して説明した第１の実施の形態のキャスタ調整機構１１１における回転工具Ｔと同一の形態をなすものであり、回転工具Ｔと同じ仕様、機能の突出部ＴＺ、側面ＴＳＳ、第１の平面ＴＳ１、貫通穴ＴＨ、第１の係合部ＴＡ１、第２の係合部ＴＡ２、側面ＴＳＳには６０°間隔にて孔Ｈ１〜Ｈ６および凹凸が形成されている。
【００８２】
図８は、吸着部品１１８Ｍｇを説明する図である。吸着部品１１８Ｍｇは、帯磁材料を用いて形成した表、裏面が平行な円盤の中央に、外形と同心の開口１１８ＭｇＨを形成した円環形状をなし、さらに、表面に開口１１８ＭｇＨの直径ｄに等しい幅の溝を形成した形態をなす。溝により隔てられた２つの突出部１１８ＭｇＮと１１８ＭｇＳの上面の高さは等しく、また、突出部１１８ＭｇＮと１１８ＭｇＳ上面がそれぞれＮ磁極とＳ磁極になるように帯磁されている。
【００８３】
また、開口１１８ＭｇＨの内径寸法ｄ、および突出部１１８ＭｇＳと１１８ＭｇＳとの間隔ｄは、雌ねじ（Ｂ）１１７の外形寸法よりも大きく、回転工具ＴＭｇの突出部ＴＺの外形寸法よりも小さい範囲の寸法に構成されている。
【００８４】
図９は、雌ねじ配置部１０２ＮＭｇを示す図である。
【００８５】
底面部材１０２には、雄ねじ１１５の軸部１１５Ｈが干渉されることなく通過可能、かつ、雌ねじ（Ｂ）１１７の外形より小さい寸法の開口１０２Ｈが配されている。そして、雌ねじ（Ａ）１１６は、その螺軸を開口１０２Ｈの中心に合致させて、底面部材１０２の図示上面に固着されている。そして、吸着部品１１８Ｍｇが、開口１１８ＭｇＨの中心を開口１０２Ｈの中心に一致させて底面部材１０２の図示下面に、裏面を当接して固着されている。
【００８６】
雌ねじ配置部１０２ＮＭｇの雌ねじ（Ａ）１１６に雄ねじ１１５を螺合させ、雄ねじ１１５を回転することにより、雄ねじ１１５と雌ねじ（Ａ）１１６との相対位置を変化させ、装置底面とキャスタＣとの距離を変更することができる。
【００８７】
雌ねじ（Ｂ）１１７は、雌ねじ配置部１０２Ｎの雌ねじ（Ａ）１１６に螺合した雄ねじ１１５の頭部１１５Ｈと雌ねじ（Ｂ）１１７との間にて、軸部１１５Ｓに螺合して配置される。そして、螺合した雌ねじ（Ｂ）１１７を回転することにより螺軸方向に移動して、雌ねじ配置部１０２Ｎを締めつける位置と、雌ねじ配置部１０２Ｎから離間した位置とに配置することが可能である。雌ねじ（Ｂ）１１７の移動は、吸着部品１１８Ｍｇの開口１１８ＭｇＨの内側でなされるので、雌ねじ（Ｂ）１１７が吸着部品１１８Ｍｇに接触して回転動作を阻害されることはない。
【００８８】
雌ねじ（Ｂ）１１７が雌ねじ配置部１０２Ｎを締めつける位置に配置されたときには、雄ねじ１１５の回転が防止され、装置底面とキャスタＣとの距離を一定に保持することができる。また、雌ねじ（Ｂ）１１７が雌ねじ配置部１０２Ｎから離間した位置に配置されたときには、雄ねじ１１５の回転が可能になり、装置底面とキャスタＣとの距離を変更できる。
【００８９】
回転工具ＴＭｇは、突出部ＴＺを吸着部品１１８Ｍｇに対向する姿勢にて貫通穴ＴＨに雄ねじ１１５の軸部１１５Ｓを貫通して、キャスタ調整機構１１１Ｍｇに組み込まれる。
【００９０】
なお、吸着部品１１８Ｍｇの突出部１１８ＭｇＳと１１８Ｍｇは、回転工具ＴＭｇを雌ねじ配置部１０２ＮＭｇに締めつけた雌ねじ（Ｂ）１１７に係合させたとき、底面部材１０２下面に固着された吸着部品１１８Ｍｇの２つの突出部１１８ＭｇＳと１１８ＭｇＳに回転工具ＴＭｇの突出部ＴＺが当接するように構成されている。
【００９１】
Ｎ磁極である突出部１１８ＭｇＮと、Ｓ磁極である１１８ＭｇＳに回転工具ＴＭｇの突出部ＴＺが当接すると、磁性材料にて形成された回転工具ＴＭｇは、１１８ＭｇＳと１１８ＭｇＳとに吸着される。
【００９２】
したがって、キャスタ調整機構１１１Ｍｇに組み込まれた回転工具ＴＭｇは、第２の係合部ＴＡ２を雌ねじ（Ｂ）１１７に係合させた状態にて突出部ＴＺを吸着部品１１８Ｍｇに吸着させて、キャスタ調整機構１１１Ｍｇに配置することができる。
【００９３】
なお、回転工具ＴＭｇの突出部ＴＺの高さは、回転工具ＴＭｇが吸着部品１１８Ｍｇに吸着された状態にあるとき、回転工具ＴＭｇが複写機１００の底面部に没入せず、側面ＴＳＳが露出するように、雌ねじ配置部１０２ＮＭｇを含む複写機１００の底面付近の構成およびねじ部品（Ｂ）１１７の厚さ寸法を踏まえて決定されている。
【００９４】
このように、吸着部品１１８Ｍｇに吸着される回転工具ＴＭｇは、係合部ＴＡ２を雌ねじ（Ｂ）１１７に係合した状態を待機位置として、キャスタ調整機構１１１Ｍｇに配置しておくことができる。したがって、装置底面とキャスタＣ１との距離の変更を行う際には、待機位置にある回転工具ＴＭｇによる雌ねじ（Ｂ）１１７の雌ねじ配置部１０２ＮＭｇへの締めつけを緩める回転動作を直ちに開始することができる。
【００９５】
回転工具ＴＭｇにて雌ねじ（Ｂ）１１７の雌ねじ配置部１０２ＮＭｇの締めつけを緩めた後は、さらに雌ねじ（Ｂ）１１７を回転して雌ねじ配置部１０２ＮＭｇから離間せしめる。雌ねじ（Ｂ）１１７が雌ねじ配置部１０２ＮＭｇから離間するにつれて、雌ねじ（Ｂ）１１７に係合している回転工具ＴＭｇの突出部ＴＺは吸着部品１１８Ｍｇから離間し、吸着部品１１８Ｍｇによる吸着から開放される。
【００９６】
次いで、回転工具ＴＭｇを雌ねじ（Ｂ）１１７から離脱し、第１の係合部ＴＡ１を雄ねじ１１５の頭部１１５Ｈに係合して、雄ねじ１１５を回転し、装置底面とキャスタＣ１との距離を適当な距離に変更する。
【００９７】
装置底面とキャスタＣ１との距離を適当に変更したら、回転工具ＴＭｇを雄ねじ１１５の頭部１１５Ｈから離脱して、第２の係合部ＴＡ２を雌ねじ（Ｂ）１１７に係合して、雌ねじ（Ｂ）１１７を回転し、雌ねじ（Ｂ）１１７を雌ねじ配置部１０２ＮＭｇ方向に移動せしめ、さらに雌ねじ配置部１０２ＮＭｇに締めつけて、装置底面とキャスタＣ１との距離を変更を完了する。
【００９８】
雌ねじ（Ｂ）１１７を雌ねじ配置部１０２ＮＭｇに締めつけた位置では、回転工具ＴＭｇの突出部ＴＺは吸着部品１１８Ｍｇに当接するので、回転工具ＴＭｇは、吸着部品１１８Ｍｇに吸着された待機位置に位置して、キャスタ調整機構１１１Ｍｇに配置される。
【００９９】
そして、雌ねじ（Ｂ）１１７を雌ねじ配置部１０２ＮＭｇに締めつけた状態では、雌ねじ配置部１０２ＮＭｇに螺合している雄ねじ１１５の回転が防止される。
【０１００】
なお、雌ねじ（Ｂ）１１７の雌ねじ配置部１０２ＮＭｇへの締めつけを緩める、あるいは、雌ねじ配置部１０２ＮＭｇに締めつける際には、回転工具ＴＭｇの孔Ｈ１〜Ｈ６のいずれかに、スクリュードライバ等の汎用工具を挿入し、汎用工具を使用して回転工具Ｔを小さな力量で回転させることもできる。
【０１０１】
このように、回転工具ＴＭｇを雌ねじ（Ｂ）１１７に係合した待機位置にてキャスタ調整機構１１１Ｍｇに組み込むことにより、回転工具ＴＭｇを使用して装置底面とキャスタＣ１との距離の変更と、変更した距離の固定をより簡便に行うことができる。
【図面の簡単な説明】
【０１０２】
【図１】本発明のキャスタ調整機構により取り付けられたキャスタを有する複写機の正面外観図である。
【図２】キャスタ調整機構１１１を説明する概念図である。
【図３】雌ねじ配置部１０２Ｎを説明する図である。
【図４】雄ねじ１１５を説明する図である。
【図５】回転工具Ｔを説明する図である。
【図６】装置底面とキャスタＣ１との距離を変更する手順を説明する図である。
【図７】キャスタ調整機構１１１Ｍｇを説明する図である。
【図８】吸着部品１１８Ｍｇを説明する図である。
【図９】雌ねじ配置部１０２ＮＭｇを示す図である。
【図１０】キャスタを配した装置の一例である複写機を示す図である。
【図１１】従来のキャスタ調整機構の一例を示す図である。
【符号の説明】
【０１０３】
１００  複写機
１０１  筐体
１０２  底面部材
１０２Ｎ  雌ねじ配置部
１１１  キャスタ調整機構
１１５  雄ねじ
１１６  雌ねじ（Ａ）
１１７  雌ねじ（Ｂ）
１１８Ｍｇ  吸着部品
Ｃ１、Ｃ２、Ｃ３、Ｃ４  キャスタ
Ｔ  回転工具
ＴＡ１  第１の係合部
ＴＡ２  第２の係合部
ＴＨ  貫通穴
ＴＳ１  第１の平面
ＴＳ２  第２の平面
ＴＳＳ  側面
ＴＺ  突出部
【図１】
2009132268.tif 000003
【図２】
2009132268.tif 000004
【図３】
2009132268.tif 000005
【図４】
2009132268.tif 000006
【図５】
2009132268.tif 000007
【図６】
2009132268.tif 000008
【図７】
2009132268.tif 000009
【図８】
2009132268.tif 000010
【図９】
2009132268.tif 000011
【図１０】
2009132268.tif 000012
【図１１】
2009132268.tif 000013